(57)【要約】【課題】一般家庭において一人でも安全で容易に操作ができる浣腸ユニットを提供する。【解決手段】肛門に挿入して薬液を注入するノズルと手押しによって容器内の薬液を吐出できるポンプ付の容器をチューブで接続してなる浣腸ユニットを用いる。【選択図】図１
0003129241.tif 000002
【実用新案登録請求の範囲】
【請求項１】
肛門に挿入して薬液を注入するノズルと手押しによって容器内の液体を吐出させるポンプ付の容器（ポンプボトル）を組み合わせた事を特徴とする浣腸ユニット。
【請求項２】
請求項１記載の浣腸ユニットにおいて肛門に挿入して薬液を注入するノズル形状を先端部と後端部を太く、中央部を細く形成させ肛門括約筋によって固定・保持されるノズルを用いる事を特徴とする浣腸ユニット。
【考案の詳細な説明】
【技術分野】
【０００１】  本考案は、浣腸を一人でも容易に必要な量の薬液の注入を行うことのできる浣腸器具に関するものである。
【背景技術】
【０００２】  従来、一般的に一人で簡単に行うことのできる浣腸は、薬液が数十ｍｌ程度の少量であって、肛門に挿入するノズル付の柔軟な素材で作られた薬液容器（以下ノズル付浣腸と記述する）を手で押し潰す事によって薬液を直腸内に注入して行っていた。またガラス製の注射器形状のシリンダとピストン及びノズルから構成される浣腸器（以下ガラス浣腸器と記述する）で薬液を注入する方法があるが、一人で操作することは困難であった。
【考案の開示】
【考案が解決しようとする課題】
【０００３】  様々なストレスの増加する現代において、主にストレスなどから便秘を起こす人が増加している。便秘解消のための浣腸は有効ではあるが、一般に使用するノズル付浣腸では薬液が少量であることから、薬液のみが排出して十分な排便効果が得られないことも多く、また手で押し潰した容器内に薬液が残ってしまう欠点があった。特に習慣性で重度の便秘患者では排便効果が少ないという問題があった。またガラス浣腸器を患者自身が一人で操作することは容易でなく、特に容量の大きいガラス浣腸器を使用する場合は操作が困難であった。イルリガートルを用いて薬液を大量に注入することができる浣腸は十分な排便効果を得ることができるが、患者本人が一人でイルリガートル用いることは設備、スペース、薬液流量の調整などの問題などから容易に実施することができなかった。
本考案はこれらの欠点を解決するためのものであり、患者自身が家庭において一人でも十分な排便を促すために必要な薬液を容易、かつ安全に注入することのできる浣腸ユニットを提供することにある。
【課題を解決するための手段】
【０００４】  頭髪を洗浄するシャンプー液の収納容器や身体の洗浄を行う液体石鹸（ボディソープ）などの収納容器は日常生活において一般的に広く用いられている。前記の収納容器は液体を貯留する容器（ボトル）部分と、手押しすることで容器内の液体を吐出させるキャップと兼用のポンプ部分から構成されている。（以下この収納容器をポンプボトルと記述する）肛門に挿入して薬液を注入するノズルとポンプボトルの吐出口をチューブで接続してなる浣腸ユニットを構成させる。このときポンプボトルのボトル部分の材料を透明な材質であって飲料容器等に多く用いられているＰＥＴ（ポリエチレンテレフタレート）樹脂製のものを使用すればボトル内の薬液量を容易に確認することもできる。もちろん不透明な材質のポンプボトルを用いても浣腸ユニットとしての機能を有することは言うまでもない。【０００５】  この浣腸ユニット用いることで操作が容易で安全性が高く必要十分な薬液を注入できる浣腸を行うことができる。すなわち浣腸ユニットの容器内に必要な量の薬液を貯留させ、患者は横臥するなどした体勢で前記浣腸ユニットのノズルを肛門に挿入する。患者の操作しやすい手前に前記浣腸ユニットのポンプボトルを位置させる。患者はポンプボトルのポンプを手押しすることで薬液量を確認しながら容易に薬液を注入できる。薬液の注入量はポンプを手押しする回数に比例し、任意に調整可能である。さらに薬液の注入流量は単位時間内にポンプを押す回数に比例し、任意に調整可能である。しかもポンプボトルのポンプ内にはチェック弁が内蔵されており大腸内に注入した薬液がポンプボトルへ逆流することもなく衛生的である。ポンプボトルの容量は約３００ｍｌ程度から約８００ｍｌ程度まで様々な容量のものが市販されており必要な容量のポンプボトルを用いればよい。本考案は以上の構成によってなる操作が容易で安全性の高い浣腸ユニットを提供する事で問題点を解決している。
【考案の効果】
【０００６】  本考案の浣腸ユニットを用いれば、患者が一人で自宅等において排便効果が十分な液量の浣腸を容易に行うことができる。本浣腸ユニットに用いるポンプボトルの一押しで吐出する液量は数ｍｌであるから注入する薬液量を任意に調整することができる。すなわち注入する薬液量を便秘の状態や体調の状態に応じて自由に調整することができる。また手押しポンプを用いているのでポンプボトル内の薬液を最後まで無駄なく使用でき、ノズル付浣腸のように押し潰した容器内に薬液が残ってしまう欠点が無い。【０００７】  次に薬液を注入する速度（注入流量）は単位時間にポンプを手押しする回数に比例するため薬液をゆっくりと注入して便意を起こすまでの時間を長くしたり、速やかに薬液を注入して早期に便意を生じさせることもできる。さらにポンプの手押しを一時中止して大腸の蠕動の様子を見ることも可能である。場合によっては浣腸を直ちに中止することも容易にできる。【０００８】  イルリガートルによる浣腸は薬液の落差（位置ヘッド）によって注入しているので患者の肛門部より高い位置にイルリガートルを保持する必要があり、イルリガートルスタンド又はフックなどを用意しなければならない。本考案の浣腸ユニットは手押しのポンプによって薬液を注入するため患者の肛門部位置より高い位置にポンプボトル置く必要がない。従って特別な吊り下げ用のスタンドやフックなどの設備も不要であり、寝室やトイレなど浣腸を実施する場所の制限などが無くなる。【０００９】  さらに本浣腸ユニットと組み合わせる薬液注入ノズルの形状を前端部と後端部を太く、中央部を細く形成することで括約筋によって前記形状のノズルを肛門部で自然に保持することが可能である。このため患者は薬液の注入時にノズルを手で保持する必要がなくなり、ポンプボトルの手押し操作を容易に行うことができる。
【考案を実施するための最良の形態】
【００１０】  容器内の薬液量を容易に確認できる透明な素材で作られているポンプボトルの吐出口と、肛門に挿入して薬液を注入するノズル間に薬液を通過させるチューブを接続してなる浣腸ユニットを構成する。また前記ノズルの形状を前端部と後端部を太く、中央部を細く形成することで括約筋によって前記ノズルを肛門部で自然に保持できるようにすれば、さらに本浣腸ユニットの操作性が向上する。
【実施例】
【００１１】  以下、添付図面の図１に従って実施例を説明する。ポンプボトル２０はボトル２、ポンプ３、キャップ４、ポンプヘッド５、吐出口６から構成されている。キャップ４を開けてボトル２の中に必要量の薬液を入れ吐出口６とノズル１ａをチューブ７で接続する。ポンプヘッド５を繰り返し押すことでポンプ３によってボトル２内の薬液が送り出されチューブ７内の空気を押し出してノズル１ａの先端部から薬液が出るようにする。次にノズル１ａを肛門に挿入してポンプヘッド５を押すことで薬液を注入する。【００１２】  次に図２は図１と形状の異なるノズル１ｂを示した実施例である。ノズル１ｂは先端部が丸みをおびて太く中央部が細く後端部は太くなっており、チューブ７と接続する接続口８が形成されている。このノズル１ｂを肛門に挿入すると括約筋の作用で中央部の細くくびれた部分が自然に肛門の中央に位置するように保持することができる。このノズル１ｂを用いれば薬液の注入時にノズルを手で保持する必要が無くなり浣腸ユニットの操作性が向上する。
【図面の簡単な説明】
【００１３】
【図１】本考案の浣腸ユニットの実施例である。
【図２】図１と形状の異なるノズルの実施例である。
【符号の説明】
【００１４】  １  ノズル              ２  ボトル              ３  ポンプ
４  キャップ            ５  ポンプヘッド        ６  吐出口
７  チューブ            ８  接続口            ２０  ポンプボトル
【図１】
0003129241.tif 000003
【図２】
0003129241.tif 000004
【手続補正書】
【提出日】平成18年11月6日(2006.11.6)
【手続補正１】
【補正対象書類名】実用新案登録請求の範囲
【補正対象項目名】請求項１
【補正方法】変更
【補正の内容】
【請求項１】
肛門に挿入して薬液を注入するノズルと手押しによって容器内の液体を吐出させるポンプ付の容器を組み合わせた事を特徴とする浣腸ユニット。